(57)【要約】【課題】張材に作用する負荷を抑制しつつ、着座者に柔軟な着座感を与えることができる椅子用荷重支持部材、及び、椅子を提供する。【解決手段】椅子用荷重支持部材は、支持部材２２と、支持部材２２に張設されて着座荷重の支持面を構成する張材２３と、支持部材２２を、着座荷重の入力される側と逆側から支持するベース部材と、を備えている。支持部材２２は、着座荷重の入力される側と対向する向きに突出するとともに、相互に略平行に離間して配置され、突出方向の先端面間に張材２３が張設される一対の支持壁２６と、一対の支持壁２６の先端面から着座荷重の入力される側と逆側に離間した部位同士を相互に連結し、かつ、ベース部材に支持される連結壁２７と、を備えている。【選択図】図１２
2018175585.tif 000002
【特許請求の範囲】
【請求項１】
支持部材と、
前記支持部材に張設されて着座荷重の支持面を構成する張材と、
前記支持部材を、着座荷重の入力される側と逆側から支持するベース部材と、を備え、
前記支持部材は、
着座荷重の入力される側と対向する向きに突出するとともに、相互に略平行に離間して配置され、突出方向の先端面間に前記張材が張設される一対の支持壁と、
一対の前記支持壁の前記先端面から着座荷重の入力される側と逆側に離間した部位同士を相互に連結し、かつ、前記ベース部材と対向して当該ベース部材に支持される連結壁と、を備えていることを特徴とする椅子用荷重支持部材。
【請求項２】
前記連結壁は、前記支持壁の突出方向と交差する延在方向の略全域に跨る長さに形成されていることを特徴とする請求項１に記載の椅子用荷重支持部材。
【請求項３】
前記連結壁は、いずれかの方向に遊びを有する状態で、前記ベース部材に支持されていることを特徴とする請求項１または２に記載の椅子用荷重支持部材。
【請求項４】
椅子の背凭れに用いられ、前記ベース部材が、着座者の背面側の着座荷重を支持するとともに、前記支持部材の背面側を覆う背面板によって構成されていることを特徴とする請求項１〜３のいずれか１項に記載の椅子用荷重支持部材。
【請求項５】
一対の前記支持壁は、椅子幅方向の左右に離間して配置されるとともに、着座者の腰部高さの近傍で前方に最も突出する膨出部を有し、
前記連結壁は、前記膨出部よりも上方側の椅子幅方向の略中央位置を挟む複数箇所で前記ベース部材に支持される上部側の被支持部と、前記膨出部よりも下方側の椅子幅方向の略中央位置で前記ベース部材に支持される下部側の被支持部と、を有していることを特徴とする請求項４に記載の椅子用荷重支持部材。
【請求項６】
請求項１〜５のいずれか１項に記載の椅子用荷重支持部材を備えていることを特徴とする椅子。
【発明の詳細な説明】
【技術分野】
【０００１】
本発明は、背凭れや座等の椅子用荷重支持部材、及び、椅子に関するものである。
【背景技術】
【０００２】
着座者の背部の荷重を支持する背凭れの構造として、メッシュ材等の張材が支持部材に張設され、張材によって着座者の背部の荷重（着座荷重）を支持するものが知られている（例えば、特許文献１〜３参照）。
【０００３】
特許文献１，２に記載の背凭れは、張材が張設される支持部材が、前後方向の肉厚の厚い部材によって矩形枠状に形成されている。この背凭れの場合、支持部材自体の剛性が高いため、張材に入力された着座者の荷重を安定的に受け止めることができる。
【０００４】
特許文献３に記載の背凭れは、前面に張材が張設される支持部材が肉厚の薄い帯状片によって構成されるとともに、その支持部材の後部が同様の帯状片によって構成された中間連結部を介して背凭れの支持体に支持されている。この背凭れの場合、支持部材の前後方向の剛性が比較的低いうえ、中間連結部が捩れを柔軟に許容する構造とされているため、着座者の背部から張材に荷重が入力されたときに、入力荷重に応じて支持部材や中間連結部が前後方向と捩れ方向とに柔軟に変形する。
【先行技術文献】
【特許文献】
【０００５】
【特許文献１】特許第５００５１６７号公報
【特許文献２】特許第５８４９８５２号公報
【特許文献３】特開２０１４−０７９５１０号公報
【発明の概要】
【発明が解決しようとする課題】
【０００６】
しかし、特許文献１，２に記載の背凭れの場合、張材が張設される支持部材が変形の生じにくい矩形枠状の構造であるため、張材に凭れる着座者に柔軟な着座感を与えるのに限界があり、さらなる改善が望まれている。
また、特許文献１，２に記載の背凭れは、張材が剛性の高い支持部材によって支持されているため、着座者から張材に大きな荷重が入力されたときに、張材の取付部等に大きな荷重が集中し、張材の耐久面において好ましくない。
【０００７】
また、特許文献３に記載の背凭れは、着座者から張材に大きな荷重が入力されたときに、支持部材と中間連結部が前後方向と捩れ方向に複雑に変形するため、支持部材から張材に様々な方向から荷重が作用し、やはり張材の耐久面において好ましくない。
【０００８】
そこで本発明は、張材に作用する負荷を抑制しつつ、着座者に柔軟な着座感を与えることができる椅子用荷重支持部材、及び、椅子を提供しようとするものである。
【課題を解決するための手段】
【０００９】
本発明に係る椅子用荷重支持部材は、上記課題を解決するために、以下の構成を採用した。
即ち、本発明に係る椅子用荷重支持部材は、支持部材と、前記支持部材に張設されて着座荷重の支持面を構成する張材と、前記支持部材を、着座荷重の入力される側と逆側から支持するベース部材と、を備え、前記支持部材は、着座荷重の入力される側と対向する向きに突出するとともに、相互に略平行に離間して配置され、突出方向の先端面間に前記張材が張設される一対の支持壁と、一対の前記支持壁の前記先端面から着座荷重の入力される側と逆側に離間した部位同士を相互に連結し、かつ、前記ベース部材と対向して当該ベース部材に支持される連結壁と、を備えていることを特徴とする。
【００１０】
上記の構成により、着座者から張材に荷重が入力されると、張材の張力が一対の支持壁の先端面に作用する。これにより、一対の支持壁の先端部側が連結壁を挟んで相互に近接する方向に撓み変形し、張材と支持壁の撓み変形によって入力荷重が柔軟に受け止められる。上記の構成の場合、支持壁同士を連結している連結壁がベース部材と対向することによって連結壁の背面側への変位をベース部材で規制されているので、着座者から張材に荷重が入力されると、各支持壁がほぼ一方向にのみ撓み変形する。これにより、張材に作用する負荷を抑制しつつ、着座者に柔軟な着座感を与えることができる。
【００１１】
前記連結壁は、前記支持壁の突出方向と交差する延在方向の略全域に跨る長さに形成されるようにしても良い。
この場合、張材を通して支持壁の延在方向のいずれの領域に着座者の荷重が入力されても、一対の支持壁が同様に連結壁を挟んで相互に近接する方向に撓み変形することになる。このため、支持壁に対する荷重の入力位置に拘わらず、入力荷重を安定して柔軟に受け止めることができる。
【００１２】
前記連結壁は、いずれかの方向に遊びを有する状態で、前記ベース部材に支持されるようにしても良い。
この場合、ベース部材に対する連結壁の脱着を容易に行うことが可能になる。また、この場合、連結壁がいずれかの方向の遊びを有する状態でベース部材に支持されているため、ベース部材による連結壁の拘束力が小さくなる。この結果、荷重入力時に連結壁自体もある程度撓み変形できるようになり、支持壁と連結壁との連結点に過剰なモーメントが集中するのを防止することが可能になる。
【００１３】
椅子の背凭れに用いられ、前記ベース部材が、着座者の背面側の着座荷重を支持するとともに、前記支持部材の背面側を覆う背面板によって構成されるようにしても良い。
この場合、支持部材の背面側がベース部材である背面板によって覆われるため、劇場等のように後席の椅子に別の着座者が着座する状況において、後席の着座者の足が背凭れに当たることがあっても、その衝撃が前席の着座者に伝わるのを背面板によって遮断、若しくは、抑制することができる。また、この場合、連結壁の背面側が広い面積で遮蔽されるので、支持壁の背面側への変形をより確実に規制することができる。
【００１４】
一対の前記支持壁は、椅子幅方向の左右に離間して配置されるとともに、着座者の腰部高さの近傍で前方に最も突出する膨出部を有し、前記連結壁は、前記膨出部よりも上方側の椅子幅方向の略中央位置を挟む複数箇所で前記ベース部材に支持される上部側の被支持部と、前記膨出部よりも下方側の椅子幅方向の略中央位置で前記ベース部材に支持される下部側の被支持部と、を有する構成としても良い。
この場合、連結壁の下部側の被支持部が椅子幅方向の略中央位置に設けられているため、支持壁の膨出部に着座者の腰部から大きな荷重が入力されたときに、連結壁を下部側の被支持部を中心として比較的大きく撓ませることができる。したがって、このとき入力荷重を張材と支持壁と連結壁の撓み変形によって柔軟に受け止めることができる。
【００１５】
また、本発明に係る椅子は、上記いずれかの椅子用荷重支持部材を備えていることを特徴とする。
【発明の効果】
【００１６】
本発明によれば、着座者から張材に荷重が入力されたときに、一対の支持壁の先端部側が連結壁を挟んで相互に近接する方向に撓み変形し、張材と支持壁の撓み変形によって入力荷重を柔軟に受け止める構造とされているため、張材に作用する負荷を抑制しつつ、着座者に柔軟な着座感を与えることができる。
【図面の簡単な説明】
【００１７】
【図１】本発明の第１の実施形態の連結椅子の斜視図である。
【図２】本発明の第１の実施形態の連結椅子の正面図である。
【図３】本発明の第１の実施形態の連結椅子の平面図である。
【図４】本発明の第１の実施形態の連結椅子が前後二列に並んだ状態を示す部分断面側面図である。
【図５】本発明の第１の実施形態の連結椅子の中央側の脚柱に側部化粧板が取り付けられた状態を示す側面図である。
【図６】本発明の第１の実施形態の連結椅子の背凭れ本体の背面図である。
【図７】本発明の第１の実施形態の連結椅子の背凭れ本体の一部を破断した斜視図である。
【図８】本発明の第１の実施形態の背凭れ本体の骨格部の斜視図である。
【図９】本発明の第１の実施形態の背凭れ本体の図６のＩＸ−ＩＸ線に沿う断面図である。
【図１０】本発明の第１の実施形態の背凭れ本体の図６のＸ−Ｘ線に沿う断面図である。
【図１１】本発明の第１の実施形態の背凭れ本体の図６のＸＩ−ＸＩ線に沿う断面図である。
【図１２】本発明の第１の実施形態の背凭れ本体の図６のＸＩＩ−ＸＩＩ線に沿う断面図である。
【図１３】本発明の第２の実施形態の背凭れの図１０と同様の断面図である。
【図１４】本発明の第２の実施形態の変形例の図１３と同様の断面図である。
【図１５】本発明の第３の実施形態の座の断面図である。
【図１６】本発明の実施形態の一変形例の支持部材の模式的な断面図である。
【図１７】本発明の実施形態の他の変形例の支持部材の模式的な断面図である。
【発明を実施するための形態】
【００１８】
以下、本発明の実施形態を図面に基づいて説明する。
最初に、図１〜図１２に示す第１の実施形態について説明する。
本実施形態に係る椅子は、劇場や講堂等に設置される連結椅子１である。なお、以下の説明において、前後、左右、上下等の各呼称は、特別に断らない限り、着座者が正規姿勢で着座したときにおける着座者を中心とした向きと合致する向きを意味するものとする。図中の適所には、前方を指す矢印ＦＲと、上方を指す矢印ＵＰと、左側方を指す矢印ＬＨが記されている。
【００１９】
図１は、本実施形態に係る連結椅子１を前側右斜め上方から見た図であり、図２は、連結椅子１を前方から見た図、図３は、連結椅子１を上方から見た図である。また、図４は、前後の連結椅子１を一部縦断面にして左側方から見た図である。
本実施形態に係る連結椅子１は、３つの単体椅子１Ａ，１Ｂ，１Ｃが横並びに一体に連結されている。連結椅子１は、劇場等の施設の床面Ｆ（設置面）上に横一列に所定数が並べて設置される。連結椅子１の横並びの列は、前後に所定距離離間して床面Ｆ上に複数設置されている。前後の連結椅子１の間と、横並びの列の端部には、歩行者の通り抜けが可能なスペースが確保されている。
【００２０】
連結椅子１は、左右方向に所定の間隔をおいて床面Ｆ（設置面）上に固定設置された複数（４つ）の脚柱１１と、隣接する脚柱１１に取り付けられて着座者の臀部や腿部を支持する複数（３つ）の座１２と、隣接する脚柱１１に取り付けられて着座者の腰部や背部を支持する複数（３つ）の背凭れ１３と、を備えている。連結椅子１は、隣接する脚柱１１間に、それぞれ座１２と背凭れ１３を持つ３つの単体椅子１Ａ，１Ｂ，１Ｃが形成されている。本実施形態においては、本発明に係る椅子用荷重支持部材の構成が背凭れ１３に採用されている。
なお、本実施形態においては、３つの単体椅子１Ａ，１Ｂ，１Ｃが横並びに一体に連結されて連結椅子１が形成されているが、横並びに一体に連結される単体椅子の数は３つに限らず任意である。
【００２１】
脚柱１１は、主要な部分が剛性の高い厚肉の金属プレートによって形成されている。脚柱１１は、図示しないアンカーボルトによって床面Ｆに固定される設置ベース部１１Ａと、設置ベース部１１Ａから鉛直方向上方に垂立する本体部１１Ｂと、本体部１１Ｂの上端部に略水平に取り付けられた図示しない上部プレートと、を有している。脚柱１１は、本体部１１Ｂの金属プレートの厚み方向が左右方向を向くように、床面Ｆ上に固定設置されている。本体部１１Ｂは、金属プレートの厚みに比較して大きな前後方向の幅を持ち、本体部１１Ｂの上部領域の左右の各側面には、木製の側部化粧板１４が脱着可能に取り付けられている。また、本体部１１Ｂの上方の上部プレートには、着座者が肘や肘先を載せ置くための木製の肘掛け１５が脱着可能に取り付けられている。
【００２２】
脚柱１１の本体部１１Ｂに取り付けられる側部化粧板１４は、サイズの異なる二種類のものが用意されている。一つは、外形の大きい第１の側部化粧板１４Ａであり、他の一つは第１の側部化粧板１４Ａよりも外形の小さい第２の側部化粧板１４Ｂである。第１の側部化粧板１４Ａは、連結椅子１の横並びの列の左右の最も外側の脚柱１１の外側面に取り付けけられ、第２の側部化粧板１４Ｂは、その他の脚柱１１の各側面と横並びの列の左右の最も外側の脚柱１１の内側面とに取り付けられる。
図５は、連結椅子１の中央側の脚柱１１に第２の側部化粧板１４Ｂが取り付けられた状態を示す側面図である。
【００２３】
各脚柱１１の上部領域の後縁部には、Ｌ字状のブラケット２１（図１２参照）が取り付けられ、そのブラケット２１を介して背凭れ１３の背面板１６が締結固定されている。背凭れ１３は、着座者の腰部や背部からの入力荷重を直接受け止める背凭れ本体１７と、背凭れ本体１７の背部に配置されて背凭れ本体１７を支持する背面板１６と、を備えている。背面板１６は、背凭れ本体１７の後部投影形状よりも大きい略矩形状の木製の板によって構成されている。本実施形態においては、背面板１６がベース部材を構成している。背凭れ本体１７については、後に詳述する。
【００２４】
また、脚柱１１の本体部１１Ｂの下部領域には、図２，図３に示すように、座１２を支持するための支持ブロック１８が取り付けられている。支持ブロック１８は、脚柱１１の本体部１１Ｂのうちの隣接する脚柱１１に対向する面に設けられている。即ち、横並びの列の最も外側の脚柱１１は、左右の一方の面にのみ支持ブロック１８が取り付けられており、中間部の脚柱１１は、左右の両面に支持ブロック１８が取り付けられている。
【００２５】
座１２は、図示しない骨格部材の外側がクッション部材と表皮座に覆われて構成されている。また、座１２には、骨格部材に結合された左右方向に沿う回動軸（図示せず）と、その回動軸を左右方向の両側で回動自在に支持する一対の保持筒１９を備えた回動機構２０が内蔵されている。左右の各保持筒１９は、各脚柱１１に支持された支持ブロック１８に回動不能に結合されている。座１２は、これにより跳ね上げ回動可能に左右の脚柱１１に支持されている。また、座１２は、使用時には前方に略水平に倒され、不使用時には図示しないリターンスプリングの力によって後部上方に跳ね上げられる。
【００２６】
図６は、背凭れ１３の背凭れ本体１７を背面（後面）から見た図であり、図７は、背凭れ本体１７の一部を破断して、その背凭れ本体１７を前面側の左斜め下方から見た図である。図８は、背凭れ本体１７の骨格部を成す支持部材２２を、前面側の左斜め上方から見た図である。また、図９は、図６のＩＸ−ＩＸ線に沿う断面図であり、図１０は、図６のＸ−Ｘ線に沿う断面図、図１１は、図６のＸＩ−ＸＩ線に沿う断面図、図１２は、図６のＸＩＩ−ＸＩＩ線に沿う断面図である。
背凭れ本体１７は、主に木材によって形成された支持部材２２と、支持部材２２に張設されて着座荷重の支持面を構成するメツシュ材等の張材２３と、支持部材２２の外側面の一部と張材２３の外側を覆う表皮材２５と、を備えている。表皮材２５は、布材等によって構成されている。
【００２７】
支持部材２２は、図８に示すように、左右方向に離間して略平行に配置された一対の支持壁２６と、一対の支持壁２６を相互に連結する連結壁２７と、を備えている。連結壁２７は、上下方向に長い略矩形の平板状に形成されている。左右の支持壁２６の基端部は、連結壁２７の左右の側縁部の前面に結合されている。連結壁２７は、支持壁２６の突出方向と交差する上下の延在方向の略全域に跨る長さに形成されている。また、連結壁２７は、後に詳述するように背面板１６の表面（前面）に係止されるようになっている。
【００２８】
支持壁２６は、基端部が連結壁２７の前面に結合された状態において、その先端部が前方に向かって突出している。支持壁２６は、連結壁２７の側縁部に沿うように上下方向に長尺に延在している。支持壁２６は、厚さ方向を幅方向（左右方向）に向け、なおかつ基端部が連結壁２７に結合されている。支持壁２６は、これにより、前方側から荷重が入力されたときに、背面側に撓み変形しにくくなっている。
また、支持壁２６の先端部の突出高さは一定ではなく、着座者の腰部高さ位置に相当する部分が前方に最も突出する膨出部２８とされている。
【００２９】
左右の支持壁２６の先端面には、張材２３の左右の側縁部が、張材２３の中央領域に適度な張りを持たせた状態で係止固定されている。ただし、張材２３の左右の側縁部は、左右の支持壁２６の外側側面まで回り込ませ、その部位において支持壁２６に係止固定されるようにしても良い。
また、張材２３の上下の端縁は連結壁２７の上端部と下端部とに係止固定されている。こうして左右の支持壁２６に張設された張材２３の張力は、着座者が背凭れ本体１７に凭れたとき、背凭れ本体１７から着座者の背中に作用する初期反力となる。この張材２３には、連結椅子１の奥行方向に沿う一方向である前方、から着座者の荷重が入力される。各支持壁２６は、張材２３を通して着座荷重の入力される側と対向する向きに突出している。また、連結壁２７は、左右の支持壁２６の先端面から着座荷重の入力される側と逆側に離間した部位同士を相互に連結している。また、張材２３の外側面と支持部材２２の周域には表皮材２５とが被着されている。
【００３０】
支持部材２２の連結壁２７の上縁部寄り部分は、連結壁２７の椅子幅方向の中心線Ｃ（図６参照）を挟む左右対称位置に略矩形状の一対の係止窓３１が形成されている。係止窓３１は、連結壁２７を前後に貫通するように形成されている。一対の係止窓３１は、連結壁２７のうちの膨出部２８よりも上方側に形成され、上部側の被支持部を構成している。
【００３１】
また、連結壁２７の下縁部寄り部分は、連結壁２７の椅子幅方向の中心線Ｃ（図６参照）を通る位置に略矩形状の一つの係止窓３２が形成されている。係止窓３２は、連結壁２７を前後に貫通するように形成されている。この係止窓３２は、連結壁２７のうちの膨出部２８よりも下方側に形成され、下部側の被支持部を構成している。
【００３２】
背面板１６の前面のうちの、連結壁２７の上部側の係止窓３１に対応する部位には、前方に突出した後に上方に略直角に屈曲する略Ｌ字状の係止部３３ａを有する支持ブラケット３３が取り付けられている。同様に、背面板１６の前面のうちの、連結壁２７の下部側の係止窓３２に対応する部位には、前方に突出した後に上方に略直角に屈曲する略Ｌ字状の係止部３４ａを有する支持ブラケット３４が取り付けられている。連結壁２７の各係止窓３１，３２の上下幅は、対応する支持ブラケット３３，３４の係止部３３ａ，３４ａの上下高さよりも広く設定されている。
【００３３】
上部側の支持ブラケット３３の係止部３３ａは連結壁２７の上部側の係止窓３１に挿入され、下部側の支持ブラケット３４の係止部３４ａは連結壁２７の下部側の係止窓３２に挿入される。背凭れ本体１７は、こうして各係止窓３１，３２に対応する係止部３３ａ，３４ａが挿入された状態で下方に引き下げられると、各係止窓３１，３２の上縁部が係止部３３ａ，３４ａに挟持固定される。こうして、背凭れ本体１７が背面板１６に固定された状態においては、各係止部３３ａ，３４ａの下面と係止窓３１，３２の間に、図９，図１１に示すような空間Ｓ（遊び）が確保される。
【００３４】
また、背凭れ本体１７は、上記のようにして支持ブラケット３３，３４によって背面板１６に係止固定されるが、このとき、図１２に示すように、背面板１６を脚柱１１のブラケット２１に締結固定するためのボルト３５の頭部が連結壁２７の背面に対向する。連結壁２７の背面には、ボルト３５の頭部との干渉を回避するために、図６にも示す逃げ孔３６が形成されている。
【００３５】
本実施形態に係る連結椅子１の背凭れ１３は、以上のような構成であるため、着座者がいずれかの単体椅子１Ａ，１Ｂ，１Ｃに着座すると、着座者の腰部や背部から背凭れ本体１７に荷重が入力される。このとき、背凭れ本体１７に入力された荷重は、表皮材２５を通して張材２３に入力され、さらに張材２３から支持部材２２の左右の支持壁２６の先端面に入力される。また、このとき、連結壁２７が背面側を背面板１６の前面に対向させた状態で背面板１６に取付けられているため、連結壁２７の背面側への変位を背面板１６によって規制される。このため、左右の支持壁２６の先端部側は、入力荷重に応じて連結壁２７を挟んで相互に近接する方向にのみ撓み変形する。この結果、着座者から背凭れ本体１７に入力された荷重は、張材２３と左右の支持壁２６の撓み変形によって柔軟に受け止められるようになる。また、張材２３に荷重が入力されたときに、張材２３を張設する左右の支持壁２６も撓み変形するため、張材２３の取付部に過大な負荷が作用することもない。
【００３６】
また、上記のように着座者から背凭れ本体１７に荷重が入力されると、左右の支持壁２６がほぼ相互に近接する方向にのみ撓み変形するため、張材２３に多様な方向から荷重が入力されることによって張材２３に過大や負荷が作用することもない。
【００３７】
さらに、着座者の腰部から背凭れ本体１７に大きな荷重が入力されると、張材２３を通して左右の支持壁２６の膨出部２８付近に荷重が作用し、左右の支持壁２６の膨出部２８付近が相互に近接する方向に撓み変形するとともに、連結壁２７の下縁の左右両側が中央の支持ブラケット３４による支持部（係止窓３２）を中心として前方側に若干撓み変形する。したがって、このとき着座者の腰部から背凭れ本体１７に入力された荷重は、張材２３と左右の支持壁２６と連結壁２７の撓み変形によって受け止められる。
【００３８】
以上のように、本実施形態に係る連結椅子１の背凭れ１３は、着座者から背凭れ本体１７に荷重が入力されたときに、左右の支持壁２６の先端部側が連結壁２７を挟んで相互に近接する方向に撓み変形し、張材２３と左右の支持壁２６の撓み変形によって入力荷重を柔軟に受け止める構造とされているので、張材２３に作用する負荷を抑制しつつ、着座者に柔軟な着座感を与えることができる。
【００３９】
また、本実施形態に係る連結椅子１の背凭れ１３においては、支持部材２２の連結壁２７が、左右の支持壁２６の延在方向の略全域に跨る長さに形成されているため、着座者から張材２３を通して左右の支持壁２６の延在方向のいずれの領域に荷重が入力されても、左右の支持壁２６が同様に連結壁２７を挟んで相互に近接する方向に撓み変形する。したがって、この構成を採用した場合、着座者から張材のいずれの高さ位置に荷重が入力されても、入力荷重を安定して柔軟に受け止めることができる。
【００４０】
また、本実施形態に係る連結椅子１の背凭れ１３では、支持部材２２の連結壁２７が、各係止窓３１，３２と係止部３３ａ，３４ａの間に空間Ｓ（遊び）が確保される状態で、背面板１６に係止固定されている。このため、この構成を採用した場合には、連結椅子１の通常使用時には凭れ本体１７のガタツキを招くことなく、メンテナンス時等には、背凭れ本体１７を上方に持ち上げることにより、背面板１６から背凭れ本体１７を容易に取り外すことができる。また、背凭れ本体１７を背面板１６に容易に取り付けることもできる。
また、本実施形態に係る連結椅子１の背凭れ１３は、支持部材２２の連結壁２７が、各係止窓３１，３２と係止部３３ａ，３４ａの間に遊びを持たせた状態で背面板１６に支持されているため、背面板１６による連結壁２７の拘束力が小さくなる。したがって、この構成を採用した場合には、着座者からの荷重の入力時に連結壁２７自体もある程度撓み変形できるようになるため、支持壁２６と連結壁２７との連結点に過剰なモーメントが集中するのを防止することができる。
【００４１】
さらに、本実施形態に係る連結椅子１の背凭れ１３は、支持部材２２の連結壁２７が支持されるベース部材が、支持部材２２の背面側を覆う背面板１６によって構成されている。このため、後席の着座者の足が背凭れ１３に当たることがあっても、その衝撃が前席の着座者に伝わるのを背面板１６によって遮断、若しくは、抑制することができる。また、本実施形態の背凭れ１３の場合、支持部材２２の連結壁２７の背面側が広い面積で背面板１６によって遮蔽されるため、支持壁２６の背面側への変形をより確実に規制することができる。
【００４２】
また、本実施形態に係る連結椅子１の背凭れ１３においては、支持部材２２の連結壁２７が、膨出部２８よりも上方側の椅子幅方向の中心線Ｃを挟む左右対称位置に一対の係止窓３１を有するとともに、膨出部２８よりも下方側の椅子幅方向の中心線Ｃ上に一つの係止窓３２を有し、これらが背面板１６側の支持ブラケット３３，３４の係止部３３ａ，３４ａにそれぞれ係止固定されるようになっている。このため、連結壁２７の上部側の二つの被係止部（係止窓３１）によって連結壁２７を背面板１６に安定して係止することができるうえ、連結壁２７の下部側の中央の一つの被係止部（係止窓３２）によって、着座者の腰部からの荷重入力時の連結壁２７の柔軟な撓み変形を許容することができる。したがって、着座者の腰部から張材２３に大きな荷重が入力されたときには、張材２３と左右の支持壁２６と連結壁２７の撓み変形によって入力荷重を柔軟に受け止めることができる。
【００４３】
なお、本実施形態においては、連結壁２７の下部側の中央に一つの被係止部（係止窓３１）が設けられているが、連結壁２７の下部側に、二つ、若しくは、それ以上の数の被係止部を設けるようにしても良い。
また、上記の実施形態は劇場や講堂等に設置される連結椅子であるが、本発明に係る椅子は、連結椅子に限るものでなく、複数の単体椅子が連結されていない独立した椅子であっても良い。
【００４４】
図１３は、第２の実施形態に係る椅子の背凭れ１３Ａの略水平断面を示す図である。なお、以下で説明する各実施形態においては、第１の実施形態と共通部分には同一符号を付してある。
第１の実施形態においては、背凭れ本体１７の支持部材２２が平坦な背面板１６に直接支持されているが、第２の実施形態の背凭れ１３Ａは、図１３に示すように、背面板１６の前面側に中間部材３７が取り付けられ、その中間部材３７の前面に支持部材２２の連結壁２７が支持（係止）されている。中間部材３７は、開口側が後方を向く略コ字字状の水平断面形状に形成されており、背面板１６の前面と中間部材３７の間に矩形状の空間部３８が形成されるようになっている。背面板１６と中間部材３７の間に形成される空間部３８は、背凭れ本体１７の後方側で上下方向に連通している。本実施形態においては、背面板１６と中間部材３７がベース部材を構成している。
【００４５】
本実施形態に係る背凭れ１３Ａは、支持壁２６の連結壁２７が中間部材３７を介して背面板１６に支持され、背面板１６と中間部材３７の間に空間部３８が設けられているため、張材２３を介して支持部材２２に着座荷重が入力されたときに、連結壁２７が後方側に（空間部３８方向に）撓み変形し易くなる。したがって、本実施形態の構造を採用した場合には、着座荷重をより柔軟に受け止めることができる。また、空間部３８は、背凭れ本体１７の後部側で上下方向に連通しているため、室内の空調空気を空間部３８を通して上方から下方、若しくは、下方から上方に良好に流通させることができる。
【００４６】
なお、図１３に示す実施形態においては、断面略コ字状の一つの中間部材３７が用いられているが、図１４に示すように、断面Ｌ字状の一対の中間部材３７Ａ，３７Ｂを用意し、これらの中間部材３７Ａ，３７Ｂを背面板１６の前面に取り付けるようにしても良い。この変形例の場合も同様の効果を得ることができる。
【００４７】
以上説明した各実施形態は、椅子の背凭れに本発明に係る椅子用荷重支持部材を適用したものであるが、本発明に係る椅子用荷重支持部材は椅子の座に適用することも可能である。
図１５は、座１１２に、本発明に係る椅子用荷重支持部材を適用した第３の実施形態の椅子１０１の断面を示す図である。
【００４８】
本実施形態の椅子１０１の座１１２は、使用状態で、前後方向に延出する左右一対のフレーム部材４０の上部にベース部材１１６が架設されている。ベース部材１１６の上面には、支持部材１２２が支持されている。支持部材１２２は、上方側に向かって突出する左右一対の支持壁１２６と、支持壁１２６の下端を相互に連結する連結壁１２７と、を備えている。そして、左右の支持壁１２６の先端面間に張材２３が張設されるとともに、連結壁１２７がベース部材１１６に係止固定されている。なお、張材２３の外面と支持壁２６の外面にはクッション材２４と表皮材２５が被着されている。
【００４９】
本実施形態の椅子１０１の座１１２の場合も、着座者から座１１２の上面に荷重が入力されたときに、左右の支持壁１２６の先端部側が連結壁１２７を挟んで相互に近接する方向に撓み変形し、張材２３と支持壁１２６の撓み変形によって入力荷重を柔軟に受け止める構造とされている。したがって、本実施形態の場合も、張材２３に作用する負荷を抑制しつつ、着座者に柔軟な着座感を与えることができる。
【００５０】
上記の各実施形態においては、支持部材２２，１２２の左右の支持壁２６，１２６を連結する連結壁２７，１２７が一枚の板部材によって構成されているが、連結壁２７，１２７を複数の板部材によって構成して、各板部材を相互に離間させた状態で左右の支持壁２６，１２６に結合するようにしても良い。この場合、連結壁２７，１２７がより撓み易くなるため、着座者からの荷重の入力時に連結壁２７，１２７を支持壁２６，１２６とともにより柔軟に変形させることが可能になる。
【００５１】
また、支持部材２２，１２２の左右の支持壁２６，１２６に張設される張材２３は、左右の支持壁２６，１２６の離間幅に対して左右の幅寸法を小さく設定し、左右の支持壁２６，１２６の先端部側を相互に近接する方向に撓ませ、その状態で左右の支持壁２６，１２６に係止固定するようにしても良い。この場合、張材２３と左右の支持壁２６，１２６に比較的大きな初期荷重が付与されることになるため、張材２３の初期反力がより大きくなる。したがって、左右の支持壁２６，１２６の剛性のみに頼ることなく着座安定性をより高めることができる。この態様の場合は、支持部材２２，１２２を樹脂等の相対的に軟質な材料によって構成することができる。
【００５２】
さらに、支持部材２２，１２２の左右の支持壁２６，１２６と連結壁２７，１２７は、合板や合成樹脂によって一体に形成するようにしても良い。
この場合、図１６（Ａ）に示すように、左右の支持壁２６，１２６の成形時の初期角度を外向きに傾斜させておき、左右の支持壁２６，１２６が連結壁２７，１２７に対して略直角になるように、左右の支持壁２６，１２６に初期荷重を付与し、その状態で、図１６（Ｂ）に示すように、左右の支持壁２６，１２６に張材２３を係止固定するようにしても良い。このような構成とした場合には、着座時に左右の支持壁２６，１２６が連結壁２７，１２７に対して略直角になるため、着座荷重を安定して支持することが可能になる。
【００５３】
また、左右の支持壁２６，１２６と連結壁２７，１２７を一体に形成する場合には、図１７に示すように、連結壁２７，１２７の両縁部を荷重入力方向に向くように湾曲させ、その湾曲した部分に左右の支持壁２６，１２６が連設されるようにしても良い。この場合、支持壁２６，１２６は直線状に形成しても良いが、連結壁２７，１２７の両縁部の湾曲形状よりも曲率の小さい湾曲形状に形成しても良い。このような構成を採用した場合には、連結壁２７，１２７も含めた支持部材２２，１２２の全体が、着座荷重の入力時に柔軟に撓み変形し易くなる。
【００５４】
なお、本発明は上記の実施形態に限定されるものではなく、その要旨を逸脱しない範囲で種々の設計変更が可能である。
【符号の説明】
【００５５】
１  連結椅子（椅子）
１３  背凭れ（椅子用荷重支持部材）
１６  背面板（ベース部材）
２２，１２２  支持部材
２３  張材
２６，１２６  支持壁
２７，１２７  連結壁
２８  膨出部
３１  係止窓（上部側の被支持部）
３２  係止窓（下部側の被支持部）
３７  中間部材（ベース部材）
１０１  椅子
１１２  座（椅子用荷重受け部材）
１１６  ベース部材
Ｓ  空間（遊び）
【図１】
2018175585.tif 000003
【図２】
2018175585.tif 000004
【図３】
2018175585.tif 000005
【図４】
2018175585.tif 000006
【図５】
2018175585.tif 000007
【図６】
2018175585.tif 000008
【図７】
2018175585.tif 000009
【図８】
2018175585.tif 000010
【図９】
2018175585.tif 000011
【図１０】
2018175585.tif 000012
【図１１】
2018175585.tif 000013
【図１２】
2018175585.tif 000014
【図１３】
2018175585.tif 000015
【図１４】
2018175585.tif 000016
【図１５】
2018175585.tif 000017
【図１６】
2018175585.tif 000018
【図１７】
2018175585.tif 000019